(57)【特許請求の範囲】
【請求項１】
上下移動するスイッチ作動棒を有した電源回路のオン・オフの切り替えを行うスイッチと、このスイッチのスイッチ作動棒を一端を支点にしたてこ作用により押圧作動させるアクチュエーターと、このアクチュエーターの反支点側に設けられる受部と、この受部を重量で圧して前記スイッチを作動させる鋼球と、この鋼球が正常時に入る円形孔および、転倒時にころがり込む凹部とを設けたスイッチ本体を備え、前記鋼球が正常時には円形孔に入り電源回路をオンさせ、転倒時には凹部に移動して電源回路をオフする構成とし、受部をフレキシブル状態に形成し、受部をフレキシブル部を介してフレキシブル状態に形成し、転倒スイッチを組み込んだ電気機器が転倒したときに受部がフレキシブル部を介して転倒した側に倒れることを特徴とする転倒スイッチ。
【請求項２】
受部を皿状に形成した請求項１記載の転倒スイッチ。
【請求項３】
スイッチをアクチュエーターの支点側に近づけ鋼球の下方部に配設した請求項１記載の転倒スイッチ。
【請求項４】
転倒時に鋼球がころがり込む凹部を円形孔の周辺に設けた請求項１記載の転倒スイッチ。
【発明の詳細な説明】
【０００１】
【発明の属する技術分野】
本発明は、電気温風機等の電気機器に組み込まれ、電気機器が転倒時に電源回路をオフするように設けられる転倒スイッチに関する。
【０００２】
【従来の技術】
従来、この種の転倒スイッチの一例として特開平９−２０３５２４号公報に記載の安全スイッチが知られている。以下、その構成について図５を参照しながら説明する。
【０００３】
図に示すように、通電または切断を切換自在に行うスイッチ部１０１が設けられたスイッチ本体１０２と、一端が出退自在にスイッチ本体１０２に設けられたボタン体１０３とからなり、ボタン体１０３がスイッチ本体１０２の内側に押圧されることにより、スイッチ部１０１を接続し、ボタン体１０３が突出することによりスイッチ部１０１が切断される安全スイッチにおいて、ボタン体１０３の所定突出位置にてボタン体１０３をスイッチ本体１０２側に解除自在に係止してボタン体１０３をスイッチ本体１０２内部へ移動を阻止する係止手段を設け、係止手段がボタン体１０３外周面およびスイッチ本体１０２の内周面にそれぞれ形成された溝部１０４ａ、１０４ｂと、溝部１０４ａ、１０４ｂ内に収納された係止体１０５からなり両溝部１０４ａ、１０４ｂの一方のボタン体１０３の移動を許容すべく係止体１０５が完全に収納される深さに設けられ、他方は係止体１０５の一部が突出する深さに設けられ、しかも両溝部１０４ａ、１０４ｂはボタン体１０３の所定突出位置において互いに対向して合致するように設けられ、ボタン体１０３の一端が略下向きのときは、係止体１０５が一方の溝部１０４ａに収納され、ボタン体１０３の一端側が略横向きのときには、溝部１０４ａ内の係止体１０５が他方の溝部１０４ｂに移動してボタン体１０３の移動を阻止すべく対向した両溝部１０４ａ、１０４ｂは傾斜状に形成していた。
【０００４】
また、鋼球を用いた他の転倒スイッチの一例として特開２０００−５７８９９号公報に記載された転倒オフスイッチが知られていた。以下、その構成について図６および図７を参照しながら説明する。
【０００５】
図に示すように、スイッチつまみ２０１と連動するスイッチ押し棒２０２により一端が押圧されて、てこ作用をするアクチュエーター２０３の他端部に鋼球２０４が載置されるように設け、アクチュエーター２０３の下降によりオンされるマイクロスイッチ２０５を設け、転倒時には鋼球２０４がアクチュエーター２０３上より鋼球移動部２０６に移動し、マイクロスイッチ２０５をオフとし、スイッチつまみ２０１をオフ側に切り替えることにより鋼球２０４を復帰させるようにして運転スイッチを兼用した転倒スイッチを構成していた。
【０００６】
【発明が解決しようとする課題】
このような従来の前者における安全スイッチでは、ボタン体１０３が内側に押圧されることによりスイッチ部１０１により電気回路を形成しているのでボタン体１０３が床面等に当接するように電気器具本体１０６の下面側にスイッチ本体１０２を組み込む必要があり安全スイッチの取付位置が限定されるとともに、壁面等に取り付けられる電気器具には採用することができないという課題があり、取付位置が限定されず壁面に取り付ける電気機器にも適用できるようにすることが要求されている。
【０００７】
また、後者における転倒スイッチでは、運転スイッチ兼用形のため、スイッチつまみ２０１およびスイッチ押し棒２０２とアクチュエーター２０３とを連動させて鋼球２０４を制御する必要があり、マイクロスイッチ２０５を復帰させるにはスイッチつまみ２０１を必ず「切」に戻してから「入」操作をする必要があるという課題があり、転倒スイッチが作動して運転が停止したときに、電気器具の姿勢を正常な状態に戻すだけで電気回路も自動的にオンできるようにすることが要求されている。
【０００８】
また、鋼球２０４が正常位置にもどるとき、アクチュエーター２０３に引っかかりもどりにくい場合があるという課題があり、スムーズに鋼球２０４が正常位置にもどるようにすることが要求されている。
【０００９】
また、スイッチつまみ２０１の下方部にマイクロスイッチ２０５を設けていることにより転倒スイッチ全体が大型になるという課題があり、スイッチ全体の小型化を図ることが要求されている。
【００１０】
また、鋼球収納部２０６の一部にアクチュエーター２０３が入り込む溝部２０７を設けていたため、アクチュエーター２０３が鋼球収納部２０４内に露出し鋼球２０４がアクチュエーター２０３にのっかかってもどりにくい場合があり、転倒スイッチとしてアクチュエーター２０３と直交する方向は安定しているが、アクチュエーターの長手方向は安定が悪いという課題があり、何れの方向にも鋼球２０４がスムーズに移動して安定性を高めることが要求されている。
【００１１】
本発明は、上記課題を解決するもので、取付場所が限定されることのない小型で安定した作動ができる安全性の高い転倒スイッチを提供することを目的とする。
【００１２】
【課題を解決するための手段】
本発明の転倒スイッチは上記目的を達成するために、上下移動するスイッチ作動棒を有した電源回路のオン・オフの切り替えを行うスイッチと、このスイッチのスイッチ作動棒を一端を支点にしたてこ作用により押圧作動させるアクチュエーターと、このアクチュエーターの反支点側に設けられる受部と、この受部を重量で圧して前記スイッチを作動させる鋼球と、この鋼球が正常時に入る円形孔および転倒時にころがり込む凹部とを設けたスイッチ本体を備え、前記鋼球が正常時には円形孔に入り電源回路をオンさせ、転倒時には凹部に移動して電源回路をオフする構成とし、受部をフレキシブル状態に形成し、受部をフレキシブル部を介してフレキシブル状態に形成し、転倒スイッチを組み込んだ電気機器が転倒したときに受部がフレキシブル部を介して転倒した側に倒れることを特徴とするものである。
【００１３】
本発明によれば、取付場所に限定されることのない小型で安定した作動ができる安全性の高い転倒スイッチが得られる。
【００１４】
【発明の実施の形態】
本発明は、上下移動するスイッチ作動棒を有した電源回路のオン・オフの切り替えを行うスイッチと、このスイッチのスイッチ作動棒を一端を支点にしたてこ作用により押圧作動させるアクチュエーターと、このアクチュエーターの反支点側に設けられる受部と、この受部を重量で圧して前記スイッチを作動させる鋼球と、この鋼球が正常時に入る円形孔および転倒時にころがり込む凹部とを設けたスイッチ本体を備え、前記鋼球が正常時には円形孔に入り電源回路をオンさせ、転倒時には凹部に移動して電源回路をオフする構成とし、受部をフレキシブル状態に形成し、受部をフレキシブル部を介してフレキシブル状態に形成し、転倒スイッチを組み込んだ電気機器が転倒したときに受部がフレキシブル部を介して転倒した側に倒れることを特徴とするものであり、転倒した電気機器を元の正常な状態に復帰させたときに鋼球が受部上に移動し易くなりスムーズに復帰させることができ、電気機器の何れの場所にも取り付けることができ、アクチュエーターが転倒時に鋼球がころがり込む凹部内に露出されていないので鋼球がスムーズに移動し、安定した状態でスイッチの作動ができ、電気機器の転倒後、正常状態に復帰させると自動的に電源回路がオンされ、使用者がその都度スイッチ操作をする必要がなく便利になるとともに、小型で安全性が高められるという作用を有する。
【００１５】
以下、本発明の実施例について図面を参照しながら説明する。
【００１６】
【実施例】
（実施例１）
図１〜図４に示すように、上下移動するスイッチ作動棒１を有した電源回路のオン・オフの切り替えを行うマイクロスイッチ２のスイッチ作動棒１を押圧するアクチュエーター３を一端を支点４により支持し、てこ作用により押圧できるように設け、アクチュエーター３の反支点側に受部５を設け、受部５を皿状部６により形成し、受部５はアクチュエーター３の端部に傾倒自在なフレキシブル部７により連結し、受部５を重量で圧してマイクロスイッチ２を作動させる鋼球８が正常時に入る円形孔９および転倒時にころがり込む凹部１０を円形孔９の周辺に設けスイッチ本体１１を形成し、マイクロスイッチ２はアクチュエーター３の支点４側に近づけ鋼球８の下方部に配設して構成する。
【００１７】
上記構成において、電気機器（図示せず）に転倒スイッチを組み込み使用したとき、電気機器が正常状態にあるときには、転倒スイッチに設けられた鋼球８は、スイッチ本体１１に形成された円形孔９に入り円形孔９内に配設されている受部５の皿状部６で受けられ鋼球８の自重によりアクチュエーター３の反支点側がてこの作用を利用して下降し、アクチュエーター３によりスイッチ作動棒１が押し下げられマイクロスイッチ２により電源回路がオンされた状態となり、電気機器に設けた操作スイッチにより電気機器が運転制御されることとなる。
【００１８】
次に、何らかの条件により電気機器が転倒した場合には、鋼球８が円形孔９の周辺に設けた凹部１０に移動し、受部５に対する加重が除かれアクチュエーター３の反支点側が反スイッチ側に移動し、アクチュエーター３により押し下げられていたマイクロスイッチ２のスイッチ作動棒１が移動し、マイクロスイッチ２により電源回路がオフとなり電気機器の運転は自動的に停止されることとなる。
【００１９】
そして、転倒した電気機器を運転時に正常状態に姿勢を立て直すことにより、転倒スイッチの鋼球８は移動し、スイッチ本体１１に設けた円形孔９に入り受部５を介してアクチュエーター３の反支点側を下降し、アクチュエーター３によりスイッチ作動棒１が押し下げられマイクロスイッチ２により電源回路がオンされ、電気機器は運転可能となる。
【００２０】
このように本発明の実施例１の転倒スイッチによれば、上下移動するスイッチ作動棒１を有した電源回路のオン・オフの切り替えを行うマイクロスイッチ２と、このマイクロスイッチ２のスイッチ作動棒１を一端を支点にしたてこ作用により押圧作動させるアクチュエーター３と、このアクチュエーター３の反支点側に設けられる受部５と、この受部５を重量で圧してマイクロスイッチ２を作動させる鋼球８と、この鋼球８が正常時に入る円形孔および転倒時にころがり込む凹部１０とを設けたスイッチ本体１１を備え、鋼球８が正常時には円形孔９に入り電源回路をオンさせ、転倒時には凹部１０に移動して電源回路をオフする構成としたので、受部５を介してアクチュエーター３の反支点側を押し下げる鋼球８の重量は軽くて良くなり、鋼球８を小径にすることが可能となりスイッチ本体１１を小型化することができる。
【００２１】
また、転倒時に鋼球８がころがり込む凹部１０には従来のようにアクチュエーター３が入り込む溝を設ける必要がなく、アクチュエーター３が凹部１０内に露出するようにしていないので、鋼球８の移動がスムーズに行われ、電源回路のオン・オフを安定した状態で行うことができ、安全性をさらに高めることができる。また、受部５をフレキシブル部７を介してフレキシブル状態に形成したので転倒スイッチを組み込んだ電気機器が転倒したときに受部５がフレキシブル部７を介して転倒した側に倒れることとなり、転倒した電気機器を元の正常な状態に復帰させたときに鋼球８が受部５上に移動し易くなりスムーズに復帰させることができる。
【００２２】
また、受部５に皿状部６を形成したので、鋼球８の転がり込む面が大きくなることで鋼球８の受部５への移動性が良くなり、マイクロスイッチ２の復帰がし易くなる。
【００２３】
また、マイクロスイッチ２をアクチュエーター３の支点４側に近づけ鋼球８の下方部に配設したので転倒スイッチ全体の小型化を図ることができ電気機器への組み込みが容易となる。
【００２４】
また、転倒時に鋼球８がころがり込む凹部１０を円形孔９の周辺に設けたので、転倒スイッチを組み込んだ電気機器が何れの方向に転倒しても鋼球８は凹部１０にころがり込み、アクチュエーター３の長手方向に関係なく安定して鋼球８を転倒方向に移動し電源回路を確実にオフし安全性が高められる。
【００２５】
なお、実施例１では受部５は皿状部６に形成し、フレキシブル部７を介してフレキシブル自在に形成したが、受部５をコイルスプリングで皿状に形成しフレキシブル自在に形成しても同様の作用効果をもたらすことはいうまでもない。
【００２６】
【発明の効果】
以上の実施例から明らかなように、本発明によれば上下移動するスイッチ作動棒を有した電源回路のオン・オフの切り替えを行うスイッチと、このスイッチのスイッチ作動棒を一端を支点にしたてこ作用により押圧作動させるアクチュエーターと、このアクチュエーターの反支点側に設けられる受部と、この受部を重量で圧して前記スイッチを作動させる鋼球と、この鋼球が正常時に入る円形孔および転倒時にころがり込む凹部とを設けたスイッチ本体を備え、前記鋼球が正常時には円形孔に入り電源回路をオンさせ、転倒時には凹部に移動して電源回路をオフする構成とし、受部をフレキシブル状態に形成し、受部をフレキシブル部を介してフレキシブル状態に形成し、転倒スイッチを組み込んだ電気機器が転倒したときに受部がフレキシブル部を介して転倒した側に倒れることを特徴とするものであり、転倒した電気機器を元の正常な状態に復帰させたときに鋼球が受部上に移動し易くなりスムーズに復帰させることができ、スイッチ本体を小型化することができるとともに、電源回路のオン・オフを安定した状態で行うことができ、安全性を高められる転倒スイッチを提供できる。
【００２７】
また、受部をフレキシブル状態に形成したので、転倒後、正常な状態に復帰させたときの鋼球の復帰をスムーズに行わせることができる。
【００２８】
また、受部を皿状に形成したので、鋼球が受部に転入しやすくなり正確にスイッチを復帰させることができる。
【００２９】
また、スイッチをアクチュエーターの支点側に近づけ鋼球の下方部に配設したので、転倒スイッチを小型化することができ、電気機器への組み込みが容易となる。
【００３０】
また、転倒時の鋼球がころがり込む凹部を円形孔の周辺に設けたので、転倒スイッチを組み込んだ電気機器が何れの方向に転倒しても正確にスイッチをオフ状態に作動することができ、スイッチの作動する方向が限定されるのを防止するこができる。
【図面の簡単な説明】
【図１】本発明の実施例１における転倒スイッチの正常時の状態を示す正面断面図
【図２】同転倒スイッチの正常時の状態を示す側面断面図
【図３】同転倒スイッチの転倒時の状態を示す正面断面図
【図４】同転倒スイッチの転倒時の状態を示す側面断面図
【図５】従来の安全スイッチの構成を示す断面図
【図６】従来の他の例の転倒オフスイッチの正常時の状態を示す断面図
【図７】同転倒オフスイッチの転倒時の状態を示す断面図
【符号の説明】
１    スイッチ作動棒
２    スイッチ
３    アクチュエーター
４    支点
５    受皿
６    皿状部
７    フレキシブル部
８    鋼球
９    円形孔
１０  凹部
１１  スイッチ本体
【図１】
0004754113.tif 000002
【図２】
0004754113.tif 000003
【図３】
0004754113.tif 000004
【図４】
0004754113.tif 000005
【図５】
0004754113.tif 000006
【図６】
0004754113.tif 000007
【図７】
0004754113.tif 000008